(57)【要約】【課題】所定のアカウントユーザや所定の店舗、地域などからのメールの着信を拒否したいというニーズを満足するカラオケシステムを提供する。【解決手段】本発明のカラオケシステムは、ホストサーバ１００と、所定の入力手段及び表示手段とを有し、ホストサーバ１００と通信網を介して通信を行うと共に、ログインすることによってホストサーバ１００に設定される各ユーザのアカウントにアクセスするリモコン端末２００とからなり、リモコン端末２００によってホストサーバ１００を介した電子メールの送受信を行うカラオケシステムにおいて、所定のアカウントから送信される電子メールに対する着信を拒否する設定を有することを特徴とする。【選択図】図１
2009288654.tif 000002
【特許請求の範囲】
【請求項１】
ホストサーバと、所定の入力手段及び表示手段とを有し、前記ホストサーバと通信網を介して通信を行うと共に、ログインすることによって前記ホストサーバに設定される各ユーザのアカウントにアクセスするリモコン端末とからなり、前記リモコン端末によって前記ホストサーバを介した電子メールの送受信を行うカラオケシステムにおいて、
所定のアカウントから送信される電子メールに対する着信を拒否する設定を有することを特徴とするカラオケシステム。
【請求項２】
ホストサーバと、カラオケ楽曲の再生を行う演奏装置と、所定の入力手段及び表示手段とを有し、前記ホストサーバと通信網を介して通信を行うと共に、ログインすることによって前記ホストサーバに設定される各ユーザのアカウントにアクセスするリモコン端末とからなり、前記リモコン端末によって前記ホストサーバを介した電子メールの送受信を行うカラオケシステムにおいて、
所定のアカウントから送信される電子メールに対する着信を拒否する設定を有することを特徴とするカラオケシステム。
【請求項３】
ホストサーバと、所定の入力手段及び表示手段とを有し、前記ホストサーバと通信網を介して通信を行うリモコン端末とからなり、前記リモコン端末によって前記ホストサーバを介した電子メールの送受信を行うカラオケシステムにおいて、
１つ以上のリモコン端末が属する所定の集合単位に属する全てのリモコン端末から送信される電子メールに対する着信を拒否する設定を有することを特徴とするカラオケシステム。
【請求項４】
ホストサーバと、カラオケ楽曲の再生を行う演奏装置と、所定の入力手段及び表示手段とを有し、前記ホストサーバと通信網を介して通信を行うと共に前記演奏装置の制御を行うリモコン端末とからなり、前記リモコン端末によって前記ホストサーバを介した電子メールの送受信を行うカラオケシステムにおいて、
１つ以上のリモコン端末が属する所定の集合単位に属する全てのリモコン端末から送信される電子メールに対する着信を拒否する設定を有することを特徴とするカラオケシステム。
【請求項５】
所定の集合単位に属する全てのリモコン端末とは、所定の店舗に属する全てのリモコン端末であることを特徴とする請求項３又は請求項４に記載のカラオケシステム。
【請求項６】
所定の集合単位に属する全てのリモコン端末とは、所定の地域に属する全てのリモコン端末であることを特徴とする請求項３又は請求項４に記載のカラオケシステム。
【請求項７】
電子メールの送受信を行うためにログインする際の認証はパスワードにより行うことを特徴とする請求項１乃至請求項６のいずれかに記載のカラオケシステム。
【請求項８】
電子メールの送受信を行うためにログインする際の認証は指紋認証により行うことを特徴とする請求項１乃至請求項７のいずれかに記載のカラオケシステム。
【発明の詳細な説明】
【技術分野】
【０００１】
本発明は、インターネットなどの通信網に接続されて用いられると共に、ユーザがログインすることによって提供されるアカウントサービスを備えるカラオケシステムに関する。
【背景技術】
【０００２】
近年、カラオケシステムがインターネットなどの通信網に接続され用いられるようになったことに伴い、ユーザが自ら登録しておいたアカウントに、カラオケシステムで用いられるリモコン端末などからログインして、これまで歌った曲情報の履歴を参照したり、或いは、あらかじめ登録しておいた十八番の曲を素早く選曲したり、といったサービスが提供されるようになってきた。このようなカラオケシステムにおけるアカウント制導入に伴い、提供可能となったサービスの１つとして、電子メールサービスを挙げることができる。
【０００３】
例えば、特許文献１（特開２００７−１２２６２０号公報）には、会員情報データベースを管理する会員情報サーバー装置などを設けておき、宛先になっている会員がログインした際に、会員情報サーバーからこのメッセージが送信され、サブコンピュータの画面に表示されようにして、地理的に離れた店舗の利用者同士でも、通信システムのネットワークを利用して電子メールのやりとりを可能としたカラオケシステムが開示されている。
【特許文献１】特開２００７−１２２６２０号公報
【発明の開示】
【発明が解決しようとする課題】
【０００４】
ところで、特許文献１に記載されているような従来のカラオケシステムが提供する電子メールサービスにおいては、カラオケ店舗のオーナーが営業などの電子メールを所定の顧客に執拗に送信したり、あるユーザが別のユーザに対して勧誘などの電子メールを執拗に送信したり、といった状況が考えられる。このような場合には、当該顧客は当該オーナーから送信される電子メールの着信を拒否したい、或いは、前記別のユーザは、あるユーザから送信される電子メールの着信を拒否したい、というニーズが存在する。しかしながら、従来のカラオケシステムによる電子メールサービスではそのようなニーズを満足するものではない、という問題があった。
【課題を解決するための手段】
【０００５】
本発明は上記のような課題を解決するものであって、本発明の請求項１に係る発明は、ホストサーバと、所定の入力手段及び表示手段とを有し、前記ホストサーバと通信網を介して通信を行うと共に、ログインすることによって前記ホストサーバに設定される各ユーザのアカウントにアクセスするリモコン端末とからなり、前記リモコン端末によって前記ホストサーバを介した電子メールの送受信を行うカラオケシステムにおいて、所定のアカウントから送信される電子メールに対する着信を拒否する設定を有することを特徴とする。
【０００６】
また、請求項２に係る発明は、ホストサーバと、カラオケ楽曲の再生を行う演奏装置と、所定の入力手段及び表示手段とを有し、前記ホストサーバと通信網を介して通信を行うと共に、ログインすることによって前記ホストサーバに設定される各ユーザのアカウントにアクセスするリモコン端末とからなり、前記リモコン端末によって前記ホストサーバを介した電子メールの送受信を行うカラオケシステムにおいて、所定のアカウントから送信される電子メールに対する着信を拒否する設定を有することを特徴とする。
【０００７】
また、請求項３に係る発明は、ホストサーバと、所定の入力手段及び表示手段とを有し、前記ホストサーバと通信網を介して通信を行うリモコン端末とからなり、前記リモコン端末によって前記ホストサーバを介した電子メールの送受信を行うカラオケシステムにおいて、１つ以上のリモコン端末が属する所定の集合単位に属する全てのリモコン端末から送信される電子メールに対する着信を拒否する設定を有することを特徴とする。
【０００８】
また、請求項４に係る発明は、ホストサーバと、カラオケ楽曲の再生を行う演奏装置と、所定の入力手段及び表示手段とを有し、前記ホストサーバと通信網を介して通信を行うと共に前記演奏装置の制御を行うリモコン端末とからなり、前記リモコン端末によって前記ホストサーバを介した電子メールの送受信を行うカラオケシステムにおいて、１つ以上のリモコン端末が属する所定の集合単位に属する全てのリモコン端末から送信される電子メールに対する着信を拒否する設定を有することを特徴とする。
【０００９】
また、請求項５に係る発明は、請求項３又は請求項４に記載のカラオケシステムにおいて、所定の集合単位に属する全てのリモコン端末とは、所定の店舗に属する全てのリモコン端末であることを特徴とする。
【００１０】
また、請求項６に係る発明は、請求項３又は請求項４に記載のカラオケシステムにおいて、所定の集合単位に属する全てのリモコン端末とは、所定の地域に属する全てのリモコン端末であることを特徴とする。
【００１１】
また、請求項７に係る発明は、請求項１乃至請求項６のいずれかに記載のカラオケシステムにおいて、電子メールの送受信を行うためにログインする際の認証はパスワードにより行うことを特徴とする。
【００１２】
また、請求項８に係る発明は、請求項１乃至請求項７のいずれかに記載のカラオケシステムにおいて、電子メールの送受信を行うためにログインする際の認証は指紋認証により行うことを特徴とする。
【発明の効果】
【００１３】
本発明のカラオケシステムによれば、所定のアカウントユーザや所定の店舗、地域などからのメールの着信を拒否したい、というニーズを満足することが可能となるなど、電子メールサービスにおける細かいニーズに対応することが可能となる。
【発明を実施するための最良の形態】
【００１４】
以下、本発明の実施の形態を図面を参照しつつ説明する。図１は本発明の実施の形態に係るカラオケシステムの全体構成を示す図であり、図２は本発明の実施の形態に係るカラオケシステムの運用形態イメージを示す図である。
【００１５】
図１及び図２において、５０は通信網、６０はルータ、７０は無線ＬＡＮアクセスポイント、１００はホストサーバ、２００、２００'、２００''、２００'''、２００''''はリモコン端末、３００、３００'、３００''、３００'''はコマンダ、４００はアンプ、４０１はスピーカー、４０２はマイクロフォン、４５０はディスプレイをそれぞれ示している。
【００１６】
本発明のカラオケシステムは、インターネットなどの通信網５０を利用したものである。このようなカラオケシステムは、ホストサーバ１００と、カラオケ店等の各カラオケルームに設置されるコマンダ３００及びコマンダ３００に対応付けして設けられているリモコン端末２００とが、インターネットなどの通信網５０を介して通信可能に構成されるこ
とによって形成されている。なお、このコマンダは特許請求の範囲においては、「演奏装置」として表現されているものである。
【００１７】
コマンダ３００、３００'、３００''、３００'''は、カラオケ店舗などの各カラオケルーム（空間１、空間２、空間３、空間４・・・）のそれぞれに１台ずつ設置されることが想定されるものである。また、コマンダ３００、３００'、３００''、３００'''に対応する形で、各カラオケルームには、リモコン端末が設置されている。通常、コマンダ３００、３００'、３００''には、それぞれ１台ずつのリモコン端末２００、２００'、２００''が対応付けされているが、空間４におけるコマンダ３００'''のように、リモコン端末２００'''、２００''''が複数台対応付けされるように設定することも可能である。
【００１８】
ホストサーバ１００側のルータ（不図示）とカラオケ店舗側のルータ６０との間でインターネットネットワーク上に形成されるＶＰＮ（ｖｉｒｔｕａｌ  ｐｒｉｖａｔｅ  ｎｅｔｗｏｒｋ）を介して、カラオケ店舗側のＬＡＮに接続されている。ルータ６０には、図示するように、コマンダ３００、３００'、３００''、３００'''が接続される。また、ルータ６０には、無線ＬＡＮアクセスポイント７０が接続されており、この無線ＬＡＮアクセスポイント７０とリモコン端末２００、２００'、２００''、２００'''、２００''''が無線ＬＡＮによって通信するようになっている。つまり、ホストサーバ１００と、コマンダ３００及びリモコン端末２００との間の通信は、通信網５０上のＶＰＮ及びカラオケ店舗の有線ＬＡＮ、無線ＬＡＮを介して行われることとなる。なお、それぞれのリモコン端末２００にはそれぞれ固有のＩＤが付されており、ホストサーバ１００に対してアクセスを行うときなどに自らのＩＤをサーバ側に報知する。
【００１９】
コマンダ３００は、リモコン端末２００からの要求に応じて、有線ＬＡＮ、無線ＬＡＮを介して制御され得るようになっている。例えば、ユーザは、リモコン端末２００から歌いたい曲を要求すると、当該要求はＬＡＮ経由でコマンダ３００に送られ、コマンダ３００がカラオケ楽曲をスタートさせるようになっている。
【００２０】
カラオケシステムのホストサーバ１００は、カラオケ店舗などに設置されているコマンダ３００に対して楽曲データ、映像データやユーザへ提供するためのコンテンツデータ等を配信する。すなわち、ホストサーバ１００は、基本的なカラオケサービス用のホストサーバとして機能する。
【００２１】
また、ホストサーバ１００は、リモコン端末２００を介して、ＩＤ、パスワード、ＩＤに対応したニックネームなどを登録することによって、自らのアカウントを取得したユーザに対する種々のサービスを提供する機能を有している。ここで、アカウントとは、本発明のカラオケシステムが提供するサービスを利用するために付与された、特定対象者に限定された権利のことである。
【００２２】
このアカウントを取得したユーザ（以下、「アカウントユーザ」という）に対して、ホストサーバ１００は、アカウントユーザがこれまで歌ってきた曲の履歴を保持しておいたり、アカウントユーザが得意とする曲のリストを保持しておいたり、アカウントユーザがこれから歌いたいとして登録した曲のリストを保持しておいたり、アカウントユーザ間などの電子メールの送受信を行ったり、といったサービスを提供する。
【００２３】
本発明のカラオケシステムにおけるアカウントは、限定的な利用権とするために、特定の対象者を識別する必要があるが、本システムでは、パスワード又は指紋認証による方法が採用されている。しかしながら、アカウントの限定利用のための識別方法としては、このような方法によらず、他のバイオメトリック的手法を用いても構わない。
【００２４】
次に、本発明のカラオケシステムにおけるコマンダ３００についてより詳しく説明する。図３は本発明の実施の形態に係るカラオケシステムで用いられるコマンダ及びその周辺のブロック構成を示す図である。図３において、３０１はバス、３０２は中央演算部、３０３は記憶部、３０４は第４通信部、３０５は第３通信部、３０６は入力部、３０７は表示制御部、３１０は音源部、３３０はミキサ部、４００はアンプ、４０１はスピーカー、４０２はマイクロフォン、４５０はディスプレイをそれぞれ示している。
【００２５】
カラオケルームなどの空間に配されるコマンダ３００には、ＣＲＴやＴＦＴ等の映像表示装置であるディスプレイ４５０、音声増幅装置であるアンプ４００が接続されており、コマンダ３００からの制御出力によりディスプレイ４５０に歌詞映像と背景画像を表示し、歌詞映像の表示と同期させてカラオケ楽曲の再生信号をアンプ４００へ送出し、スピーカー４０１から演奏音が得られるようにしている。そして、前記アンプ４００には、ミキサ部３３０を介してマイクロフォン４０２が接続されており、周知のようにカラオケシステムのユーザは、歌詞映像に合わせてこのマイクロフォン４０２から自身の発声を入力し、歌唱することになる。
【００２６】
図３は、このように構成されたコマンダ３００とその周辺の具体的構成を示すブロック図であり、バス３０１に接続された中央演算部３０２（ＣＰＵ）がコマンダシステム全体の制御を司る。
【００２７】
記憶部３０３には、ＲＯＭ、ＲＡＭ、ＨＤＤが用いられ、ＲＯＭには制御プログラムなどが格納され、ＲＡＭには制御処理の内容などの一時記憶が可能となるようにしている。ＨＤＤには、ホストサーバ１００から受信した楽曲データ、映像データやカラオケ演奏以外の機能を実行させるデータであるデータを一時記憶させる。
【００２８】
第４通信部３０４は、例えば赤外線通信が用いられ、リモコン端末２００から送られてくる赤外線コード信号を受信し、コマンドデータに復元してバス３０１へ転送する。リモコン端末２００からコマンダ３００に対する指令信号は、カラオケ店舗内のＬＡＮ経由にても送信することができるが、「演奏スタート」や「唄い直し」などの比較的単純な指令信号は、この赤外線通信による通信部を利用することができる。
【００２９】
第３通信部３０５は、周知の規格の有線ＬＡＮが用いられ、ホストサーバ１００からコマンダ３００に対する制御命令や、楽曲データ、映像データやファームウエアデータなどをホストサーバ１００からダウンロードするために利用される。また、第３通信部３０５は、コマンダ３００を、ＬＡＮを介して他のコマンダやその他の機器に接続するための接続器でもあり、コマンダ３００はそのようにＬＡＮ２４を介して接続されることで、他のコマンダや他の機器との間で情報の送受信が可能とされる。
【００３０】
入力部３０６は、コマンダ３００のフロントパネルに設けられた各種スイッチ機能であり、予約選曲、キーコントロール、歌唱プログラムなどカラオケ装置特有の機能をマニュアル設定が可能となるようにしている。表示制御部３０７は、カラオケ楽曲に伴う映像や、その他、コンテンツデータ、広告データなどの映像データをディスプレイ４５０により表示するための表示制御を行う。
【００３１】
音源部３１０は、ＭＩＤＩ（Ｍｕｓｉｃａｌ  Ｉｎｓｔｒｕｍｅｎｔ  Ｄｉｇｉｔａｌ
Ｉｎｔｅｒｆａｃｅ）規格に基づく楽曲データから演奏可能な楽音信号を形成する。
【００３２】
ミキサ部３３０は、音源部３１０が発声した複数の楽音信号とマイクロフォン４０２から入力される歌唱者の歌唱音声信号を適当なバランスでミキシングする。このミキサ部３３０でミキシングされた信号は、アンプ４００に出力される。
【００３３】
次に、本発明のカラオケシステムにおけるリモコン端末２００についてより詳しく説明する。図４は本発明の実施の形態に係るカラオケシステムで用いられるリモコン端末のブロック構成を示す図である。図４において、２０１はバス、２０２は中央演算部、２０３は記憶部、２０４はタッチパネル部、２０５は表示部、２０６は第１通信部、２０７は第２通信部、２０８は生体認証部をそれぞれ示している。
【００３４】
リモコン端末２００は、バス２０１に接続された中央演算部２０２（ＣＰＵ）がリモコン端末全体の制御を司る。
【００３５】
記憶部２０３には、ＲＯＭ、ＲＡＭ、不揮発性メモリが用いられ、ＲＯＭには制御プログラムなどが格納され、ＲＡＭには制御処理の内容などの一時記憶が可能となるようにしている。
【００３６】
タッチパネル部２０４は、ユーザの指や図示しない備え付けのペン等による入力を行うものである。タッチパネル部２０４による入力を可能とするために、表示部２０５にはタッチパネル部２０４と連動した表示画像が表示されるようにプログラムされる。なお、本実施形態では、入力インターフェイス装置としてこのようなタッチパネル部２０４を用いる例について説明しているが、本発明はこれに限定されるものではない。
【００３７】
第１通信部２０６は、無線ＬＡＮアクセスポイント７０との間で無線ＬＡＮ規格（例えば、ＩＥＥＥ８０２．１１ａ／ｂ／ｇ規格など）に従った無線通信を行うための無線ＬＡＮ信部である。
【００３８】
第２通信部２０７は、例えば赤外線通信が用いられ、コマンダ３００における第４通信部３０４との通信を行うものであり、所定の赤外線コード信号をコマンダ３００に送出することが可能とされている。
【００３９】
生体認証部２０８は、ユーザの指紋を読み取り、生体識別コードに変換するものであり、これによりアカウントを有するユーザを識別するものである。
【００４０】
ところで、ユーザによってはアカウントへのログインのための認証方法として、指紋認証を好まないというような場合がある。そこで、本実施形態におけるカラオケシステムでは、生体認証部２０８の指紋による認証か、パスワードを使っての認証かをユーザが選択できるようになっている。
【００４１】
次に、本実施形態に係るカラオケシステムが提供するアカウントユーザ間の電子メールの送受信サービスについてより詳しく説明する。図５は本発明の実施の形態に係るカラオケシステムで提供される電子メールサービスの概念を示す図である。
【００４２】
なお、図５においては、カラオケ店舗Ｎ1乃至Ｎ3が通信網５０を介してホストサーバ１００側に接続される形態でシステムが運用されている場合を示している。また、カラオケ店舗Ｎ1乃至Ｎ3には、リモコン端末がそれぞれ４台、２台、３台設置されていることを想定している。このような店舗数やリモコン端末数は例示的なものであり、本発明がこれに限定されるわけではない。なお、リモコン端末に付されている、例えばＭ2-1などは、そのリモコン端末に固有に付されるＩＤであるものとする。
【００４３】
また、図示していないが、各カラオケ店舗の下には、これまで説明したコマンダ３００が設置されるものである。また、図においてホストサーバ１００には、アカウントユーザに提供されるアカウントサービスのみに関連する構成が示されており、その他のカラオケ
システムとして機能に関連する構成については図示省略されている。
【００４４】
図５において、１１０はメールサービス部、１１１は受信ボックス、１１２は送信ボックス、１１３はメール設定部、１２０は履歴情報設定部、１３０は登録曲設定部、１４０はリモコン端末情報データベースをそれぞれ示している。
【００４５】
ホストサーバ１００に登録したアカウントユーザは、例えば、ＩＤ＝００００００００００１乃至ＩＤ＝ＮＮＮＮＮＮＮＮＮＮＮのいずれかのユーザアカウントＩＤが付与され、そのようなＩＤの下で電子メールの送受信サービス、履歴情報の保存のサービスや、登録曲の保存のサービスを受けるようになっており、それぞれのサービスは、図中のメールサービス部１１０、履歴情報設定部１２０、登録曲設定部１３０が担うようになっている。本実施形態では、履歴情報設定部１２０、登録曲設定部１３０によるサービスについては詳述を避け、メールサービス部１１０が担う機能について説明する。
【００４６】
メールサービス部１１０は、カラオケシステムにおけるアカウントユーザ間のメールの送受信を担うものであり、メールサービス部１１０には、受信した電子メールを保存する受信ボックス１１１、送信した電子メールを保存する送信ボックス１１２、またアカウントユーザ個人毎の設定が保存されるメール設定部１１３が設けられている。本実施形態においては、このメール設定部１１３に電子メールの着信拒否に係る情報が記憶保存されるようになっている。
【００４７】
上記のようなカラオケシステムでは、カラオケ店舗Ｎ1のリモコン端末Ｍ1-1でアカウントにログインして作成されたＡＡＡＡさんの電子メールのメッセージは、メールサービス部１１０の機能によって、例えばＣＣＣＣさんが保有するアカウントに配信される。そして、後刻、カラオケ店舗Ｎ3のリモコン端末Ｍ3-3でアカウントにログインしたＣＣＣＣさんは、ＡＡＡＡさんからの電子メールのメッセージを受領し、参照することができる。
【００４８】
ここで、リモコン端末２００におけるタッチパネル部２０４を備えた表示部２０５によるユーザインターフェイス画面について説明する。図６及び図７は本発明の実施の形態に係るカラオケシステムで用いられるリモコン端末におけるタッチパネル部・表示部のユーザインターフェイス画面例を示す図である。
【００４９】
図６はリモコン端末２００におけるログイン前のユーザインターフェイス画面例である。ここで、ユーザは生体認証部２０８による指紋認証か、或いはパスワード入力による認証かを行うことによって、自分のアカウントにログインする。図７は、ニックネーム「かとう  たろう」さんが自らのアカウントにログインしたときの様子を示している。なお、アカウントに対する「ログイン」や「ログアウト」の概念は通常広く用いられているものと同様のものを用いることができる。
【００５０】
本実施形態に係るカラオケシステムで用いられるリモコン端末２００のユーザインターフェイス画面では、右側のカラムを中心として、アカウントに関わるメニュー表示がなされる。本ユーザインターフェイス画面例では、アカウントサービスの下では「マイメニュー」、「あなたへのオススメ」、「マイリスト」、「マイりれき」、「ログアウト」のいずれかを選択することができるようになっている。電子メールサービスに関連するサービスの選択は「マイメニュー」の下に存在するようになっている。
【００５１】
上記のような通常の電子メールの送受信に加えて、本実施形態においては所定のアカウントから送信される電子メールに対する着信を拒否する設定を有している。図５においては、アカウントユーザＤＤＤＤさんは、アカウントユーザＡＡＡＡさんから送信される電子メールの着信を拒否する例が示されている。このような着信拒否に関する設定はメール
設定部１１３においてなされるようになっている。
【００５２】
次に、本実施形態に係るカラオケシステムのメール設定部１１３における設定について説明する。図８は本発明の実施の形態に係るカラオケシステムのメール設定部における設定データ構造例を示す図である。
【００５３】
図８は先のＤＤＤＤさんのユーザアカウント（ＩＤ＝ＺＺＺＺＺＺＺＺＺＺＺ）のメール設定部１１３が示されるものであり、着信拒否がありに設定され、着信拒否の対象となるアカウントがＡＡＡＡさんのユーザアカウント（ＩＤ＝ＸＸＸＸＸＸＸＸＸＸＸ）である場合が示されている。このようにメール設定部１１３において、着信拒否対象アカウントとして設定登録されている場合には、ＡＡＡＡさんのユーザアカウントから送信される電子メールの着信−受信ボックスへの保存−が拒否されるようになっている。
【００５４】
以上のように構成される本実施形態のカラオケシステムにおけるメール受信処理について説明する。図９は本発明の実施の形態に係るカラオケシステムで用いられるホストサーバにおけるメール受信処理のフローチャートを示す図である。このようなメール受信処理のフローチャートは、それぞれのアカウントにメールが送信されてきたときを契機として実行されるものであり、送信されるメールが受信ボックスに保存される前段で実行される処理である。
【００５５】
図９において、ステップＳ１００で、メール受信処理が開始されると、続いてステップＳ１０１に進み、メール設定部１１３の読み込みが行われる。このメール設定部１１３には、前述したようにメールの着信拒否に係る情報が記憶・保存されている。
【００５６】
ステップＳ１０２では、メール設定部１１３における設定で、所定のアカウントに対する着信拒否の設定があるか否かが判定される。
【００５７】
ステップＳ１０２における判定結果がＮＯであるときにはステップＳ１０５に進み、ステップＳ１０５において、当該アカウントに送信された受信メールを受信ボックス１１１に保存し、ステップＳ１０６で処理を終了する。
【００５８】
ステップＳ１０２における判定結果がＹＥＳであるときにはステップＳ１０３に進み、ステップＳ１０３において、当該アカウントに送信されてきた受信メールは着信拒否アカウントからか否かが判定される。
【００５９】
ステップＳ１０３における判定結果がＮＯであるときにはステップＳ１０５に進み、受信ボックス１１１への所存処理が行われる。ステップＳ１０３における判定結果がＹＥＳであるときにはステップＳ１０４に進み、ステップＳ１０４において、当該アカウントに送信されてきた受信メールを受信ボックス１１１には保存せずに破棄する。ステップＳ１０６では、メール受信処理を終了する。
【００６０】
以上のように構成される本実施形態に係るカラオケシステムによれば、所定のアカウントユーザから送信されてきたメールの着信を拒否したい、というニーズを満足することが可能となり、電子メールサービスにおける細かいニーズに対応することが可能となるのである。
【００６１】
次に、以上のように構成されるカラオケシステムにおけるリモコン端末２００での具体的操作例について説明する。まず、メール設定画面への移行するためのユーザインターフェイス画面について説明する。図１０は本発明の実施の形態に係るカラオケシステムで用いられるリモコン端末におけるタッチパネル部・表示部のユーザインターフェイス画面例
を示す図であり、ログイン後に「マイメニュー」にタッチしたときの状態を示している。
【００６２】
このような画面表示においては、「マイメニュー」にタッチすると、図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００６３】
ここで、ユーザが「メール」を選択してタッチすることによって、次に、例えば図１１に示されるユーザインターフェイス画面に移行する。この画面表示は、受信ボックス１１１の最新のメールから１０件の受信メールを表示するものである。図１１に示す受信ボックス表示において、ユーザは「着信オプション」にタッチすることによって、図１２に示すようなユーザインターフェイス画面に移行することができる。
【００６４】
図１２のユーザインターフェイス画面においては、ユーザは「着信拒否を設定する」、「着信拒否設定を解除する」のいずれかを選択し、それぞれの設定画面へと移行することができる。なお、後者の「着信拒否設定を解除する」は、既に設定されている着信拒否に係る設定を解除することを可能とする画面へと誘導するものである。
【００６５】
ここでは、ユーザが「着信拒否を設定する」をタッチすると、図１３に示すようなユーザインターフェイス画面へと移行する。このような画面表示においては、着信を拒否するユーザＩＤを、例えば、図示するようにタッチパネル部２０４からの手書き入力によって行うものである。ユーザは、図１３に示すユーザインターフェイス画面の「決定」を押下することによって、入力したユーザＩＤのアカウントユーザからの電子メールの着信を拒否することができる。
【００６６】
次に、本発明の他の実施形態について説明する。図１４は本発明の他の実施の形態に係るカラオケシステムで提供される電子メールサービスの概念を示す図である。図１４においては、カラオケ店舗Ｎ1乃至Ｎ3が通信網５０を介してホストサーバ１００側に接続される形態でシステムが運用されている場合を示しており、前提は先の実施形態において図５で説明したものと基本的に同様である。ただ、本実施形態においては、ホストサーバ１００にリモコン端末情報データベース１４０が設けられている。このリモコン端末情報データベース１４０は、それぞれのリモコン端末に固有に付与されているＩＤと、その所属先、所在地などを対応付けて記憶させるデータベースである。本実施形態においては、カラオケ店舗とそのカラオケ店舗、所在地に属するリモコン端末との対応を記憶する例について説明するが、必ずしもこのような例に限定されるものではない。
【００６７】
また、図１４の電子メールサービス概念図において、通常の電子メールの送受信については先の実施形態において説明したものと同様である。すなわち、本実施形態においても、カラオケ店舗Ｎ1のリモコン端末Ｍ1-1でアカウントにログインして作成されたＡＡＡＡさんの電子メールのメッセージは、メールサービス部１１０の機能によって、例えばＣＣＣＣさんが保有するアカウントに配信される。そして、後刻、カラオケ店舗Ｎ3のリモコン端末Ｍ3-3でアカウントにログインしたＣＣＣＣさんは、ＡＡＡＡさんからの電子メールのメッセージを受領し、参照することができる。
【００６８】
このような通常の電子メールの送受信に加えて、本実施形態においては所定のアカウント及び所定の集合単位に属する全てのリモコン端末から送信される電子メールから送信される電子メールに対する着信を拒否する設定を有している。ここで、所定の集合単位は、１つ以上のリモコン端末が属するものであり、この集合単位はカラオケ店舗単位の集合単位であったり、或いは東京都港区単位などの地域に係る集合単位であったりするものであ
る。すなわち、本実施形態は、所定のカラオケ店舗に配されている全てのリモコン端末からのメールの着信を拒否することができたり、或いは、所定の東京都港区内などの所定の地域内に存在する全てのリモコン端末からのメールの着信を拒否することができたりするものである。
【００６９】
図１４においては、アカウントユーザＥＥＥＥさんは、アカウントユーザＡＡＡＡさんから送信される電子メール、及びカラオケ店舗Ｎ1（所定の集合単位）に属する全てのリモコン端末から送信される電子メールの着信を拒否する例が示されている。このような着信拒否に関する設定はメール設定部１１３においてなされるようになっている。
【００７０】
次に、本実施形態に係るカラオケシステムのメール設定部１１３における設定について説明する。図１５は本発明の実施の形態に係るカラオケシステムのメール設定部における設定データ構造例を示す図である。
【００７１】
図１５は先のＥＥＥＥさんのユーザアカウント（ＩＤ＝ＹＹＹＹＹＹＹＹＹＹＹ）のメール設定部１１３が示されるものであり、着信拒否がありに設定され、着信拒否の対象となるアカウントがＡＡＡＡさんのユーザアカウント（ＩＤ＝ＸＸＸＸＸＸＸＸＸＸＸ）からのメール及びカラオケ店舗Ｎ1（所定の集合単位）に属する全てのリモコン端末からのメールである場合が示されている。このようにメール設定部１１３において、着信拒否対象アカウントとして設定登録されている場合には、ＡＡＡＡさんのユーザアカウントから送信される電子メールの着信−受信ボックスへの保存−が拒否されるようになっている。同じように、カラオケ店舗Ｎ1（所定の集合単位）に属する全てのリモコン端末から送信される電子メールの着信も拒否されることとなる。
【００７２】
次に、リモコン端末情報データベース１４０のデータ構造例について説明する。図１６は本発明の他の実施の形態に係るカラオケシステムのリモコン端末情報データベースにおけるデータ構造例を示す図である。本実施形態においては、図１６に示すように、例えば、リモコン端末情報データベース１４０は、それぞれのリモコン端末に唯一無二に付与されているＩＤと、その所属先であるカラオケ店舗、当該店舗の所在地とが対応付けられて記憶されている。なお、このリモコン端末情報データベース１４０における記憶事項については、本発明の運用形態によって適宜変更することが可能である。このようなリモコン端末情報データベース１４０によれば、ホストサーバ１００は、店舗や地域などの所定の集合単位に属する全てのリモコン端末を特定することが可能となる。
【００７３】
以上のように構成される本実施形態のカラオケシステムにおけるメール受信処理について説明する。図１７は本発明の他の実施の形態に係るカラオケシステムで用いられるホストサーバにおけるメール受信処理のフローチャートを示す図である。このようなメール受信処理のフローチャートは、それぞれのアカウントにメールが送信されてきたときを契機として実行されるものであり、送信されるメールが受信ボックスに保存される前段で実行される処理である。
【００７４】
図１７において、ステップＳ２００で、メール受信処理が開始されると、続いてステップＳ２０１に進み、メール設定部１１３の読み込みが行われる。このメール設定部１１３には、前述したようにメールの着信拒否に係る情報が記憶・保存されている。
【００７５】
ステップＳ２０２では、メール設定部１１３における設定で、所定のアカウントに対する着信拒否の設定があるか否かが判定される。
【００７６】
ステップＳ２０２における判定結果がＮＯであるときにはステップＳ２０８に進み、ステップＳ２０２における判定結果がＹＥＳであるときにはステップＳ２０３に進む。
【００７７】
ステップＳ２０２における判定結果がＮＯであるとき進むステップＳ２０８では、所定の集合単位に対する着信拒否の設定があるか否かが判定される。この判定がＮＯでるときには、ステップＳ２１０に進み、当該アカウントに送信されてきた受信メールを受信ボックス１１１に保存し、次に、ステップＳ２１１に進み、処理を終了する。
【００７８】
ステップＳ２０８における判定結果がＹＥＳであるときにはステップＳ２０９に進み、ステップＳ２０９において、当該アカウントに送信されてきた受信メールが、着信拒否対象として設定されている集合単位に属するリモコン端末からのものであるか否かが判定される。ステップＳ２０９における判定結果がＮＯであればステップＳ２１０でメールは受信ボックスに保存され、判定結果がＹＥＳであればステップＳ２０６に進み、当該アカウントに送信されてきた受信メールを受信ボックス１１１に保存せず破棄し、ステップＳ２１１で処理を終了する。
【００７９】
なお、それぞれのアカウントに送信されてくるメールデータには、どのリモコン端末からログインされて発信されたメールであるのかを示すデータが含まれている。
【００８０】
ステップＳ２０２における判定結果がＹＥＳであるときに進むステップＳ２０３においては、所定の集合単位に対する着信拒否の設定があるか否かが判定される。ステップＳ２０３における判定結果がＹＥＳであるときにはステップＳ２０４に進む。
【００８１】
ステップＳ２０３の判定結果がＮＯであるときにはステップＳ２０７に進むが、ステップＳ２０７では、当該アカウントに送信されてきた受信メールが着信拒否として登録されているアカウントからのものであるか否かが判定される。この判定結果がＮＯであればステップＳ２１０に進み、メールを受信ボックス１１１に保存し、ステップＳ２１１で処理を終了する。また、判定結果がＹＥＳであればステップＳ２０６に進み、メールを受信ボックス１１１に保存せずに破棄し、ステップＳ２１１で処理を終了する。
【００８２】
ステップＳ２０３における判定結果がＹＥＳであるとき進むステップＳ２０４では、当該アカウントに送信されてきた受信メールが着信拒否として設定されているアカウントからのものであるかが判定される。ステップＳ２０４の判定がＹＥＳであれば、ステップＳ２０６に進み、メールデータを受信ボックス１１１に保存することなく破棄し、ステップＳ２１１で処理を終了する。
【００８３】
ステップ２０４における判定結果がＮＯでるときにはステップＳ２０５に進む。ステップＳ２０５において、当該アカウントに送信されてきた受信メールが、着信拒否対象として設定されている集合単位に属するリモコン端末からのものであるか否かが判定される。ステップＳ２０５における判定結果がＮＯであればステップＳ２１０でメールは受信ボックスに保存され、判定結果がＹＥＳであればステップＳ２０６に進み、当該アカウントに送信されてきた受信メールを受信ボックス１１１に保存せず破棄し、ステップＳ２１１で処理を終了する。
【００８４】
以上のように構成される本発明の他の実施形態に係るカラオケシステムによれば、所定のアカウントユーザや所定の店舗、地域などからのメールの着信を拒否したい、というニーズを満足することが可能となるなど、電子メールサービスにおける細かいニーズに対応することが可能となる。
【００８５】
次に、以上のように構成される他の実施形態にかかるカラオケシステムのリモコン端末２００での具体的操作例について説明する。まず、メール設定画面への移行するためのユーザインターフェイス画面について説明する。図１０は本発明の実施の形態に係るカラオ
ケシステムで用いられるリモコン端末におけるタッチパネル部・表示部のユーザインターフェイス画面例を示す図であり、ログイン後に「マイメニュー」にタッチしたときの状態を示している。
【００８６】
このような画面表示においては、「マイメニュー」にタッチすると、図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００８７】
ここで、ユーザが「メール」を選択してタッチすることによって、次に、例えば図１１に示されるユーザインターフェイス画面に移行する。この画面表示は、受信ボックス１１１の最新のメールから１０件の受信メールを表示するものである。図１１に示す受信ボックス表示において、ユーザは「着信オプション」にタッチすることによって、図１２に示すようなユーザインターフェイス画面に移行することができる。
【００８８】
図１２のユーザインターフェイス画面においては、ユーザは「着信拒否を設定する」、「着信拒否設定を解除する」のいずれかを選択し、それぞれの設定画面へと移行することができる。なお、後者の「着信拒否設定を解除する」は、既に設定されている着信拒否に係る設定を解除することを可能とする画面へと誘導するものである。
【００８９】
ここでは、ユーザが「着信拒否を設定する」をタッチすると、図１８に示すようなユーザインターフェイス画面へと移行する。このような画面表示において、ユーザは「ユーザＩＤにより指定」、「店舗により指定」、「地域により指定」のいずれかを選択することによって、着信拒否の設定をどのように指定するかを選択する。
【００９０】
ユーザが「ユーザＩＤにより指定」にタッチすることによって移行する画面は既に説明した図１２のユーザインターフェイス画面であり、このような画面表示では手書き入力によって着信拒否を設定するユーザＩＤを入力する。ユーザは、図１３に示すユーザインターフェイス画面の「決定」を押下することによって、入力したユーザＩＤのアカウントユーザからの電子メールの着信を拒否することができる。
【００９１】
また、ユーザが「店舗により指定」にタッチすることによって移行するユーザインターフェイス画面が図１９である。このような画面において、ユーザはカラオケ店舗を選択することによって、所定のカラオケ店舗に配されている全てのリモコン端末からのメールの着信を拒否することができる。
【００９２】
また、ユーザが「地域により指定」にタッチすることによって移行するユーザインターフェイス画面が図２０である。このような画面において、ユーザは、図示するような地域から適宜選択することによって、例えば、東京都港区内などの所定の地域内に存在する全てのリモコン端末からのメールの着信を拒否することができる。
【００９３】
次に、本発明の他の実施形態について説明する。図２０は本発明の他の実施の形態に係るカラオケシステムの全体構成を示す図である。本実施形態においても、先の実施形態と同様にユーザアカウント制による電子メールサービスを行うものであるが、先の実施形態とは全体のシステム構成が異なっている。
【００９４】
先の実施形態においては、無線ＬＡＮアクセスポイント７０が採用され、リモコン端末２０は、このアクセスポイントを利用してＬＡＮ経由で、コマンダ３００に対する指令信号などを送出していが、本実施形態では、この無線ＬＡＮアクセスポイント７０が省略さ
れ、リモコン端末２００とコマンダ３００との信号のやりとりはＢｌｕｅｔｏｏｔｈ規格などの無線通信を用いるようにしている。
【００９５】
このような無線通信を用いると比較的大容量のデータ通信を無線によって行うことができるので、無線ＬＡＮアクセスポイント７０などの設置が不要となる。また、先の実施形態においては、リモコン端末２００とコマンダ３００と間の直接的な通信手段としては赤外線通信による通信部が用いられていたが、本実施形態では、先のようなＢｌｕｅｔｏｏｔｈ規格などの無線通信が採用されるため、リモコン端末２００及びコマンダ３００に赤外線通信による通信部を設ける必要がなくなり、ハードウエア的に簡略化することができる、というメリットがある。
【００９６】
なお、本明細書においては、種々の実施の形態について説明したが、それぞれの実施の形態の構成を適宜組み合わせて構成された実施形態も本発明の範疇となるものである。
【図面の簡単な説明】
【００９７】
【図１】本発明の実施の形態に係るカラオケシステムの全体構成を示す図である。
【図２】本発明の実施の形態に係るカラオケシステムの運用形態イメージを示す図である。
【図３】本発明の実施の形態に係るカラオケシステムで用いられるコマンダ及びその周辺のブロック構成を示す図である。
【図４】本発明の実施の形態に係るカラオケシステムで用いられるリモコン端末のブロック構成を示す図である。
【図５】本発明の実施の形態に係るカラオケシステムで提供される電子メールサービスの概念を示す図である。
【図６】本発明の実施の形態に係るカラオケシステムで用いられるリモコン端末におけるタッチパネル部・表示部のユーザインターフェイス画面例を示す図である。
【図７】本発明の実施の形態に係るカラオケシステムで用いられるリモコン端末におけるタッチパネル部・表示部のユーザインターフェイス画面例を示す図である。
【図８】本発明の実施の形態に係るカラオケシステムのメール設定部における設定データ構造例を示す図である。
【図９】本発明の実施の形態に係るカラオケシステムで用いられるホストサーバにおけるメール受信処理のフローチャートを示す図である。
【図１０】本発明の実施の形態に係るカラオケシステムで用いられるリモコン端末におけるタッチパネル部・表示部のユーザインターフェイス画面例を示す図である。
【図１１】本発明の実施の形態に係るカラオケシステムで用いられるリモコン端末におけるタッチパネル部・表示部のユーザインターフェイス画面例を示す図である。
【図１２】本発明の実施の形態に係るカラオケシステムで用いられるリモコン端末におけるタッチパネル部・表示部のユーザインターフェイス画面例を示す図である。
【図１３】本発明の実施の形態に係るカラオケシステムで用いられるリモコン端末におけるタッチパネル部・表示部のユーザインターフェイス画面例を示す図である。
【図１４】本発明の他の実施の形態に係るカラオケシステムで提供される電子メールサービスの概念を示す図である。
【図１５】本発明の実施の形態に係るカラオケシステムのメール設定部における設定データ構造例を示す図である。
【図１６】本発明の他の実施の形態に係るカラオケシステムのリモコン端末情報データベースにおけるデータ構造例を示す図である。
【図１７】本発明の他の実施の形態に係るカラオケシステムで用いられるホストサーバにおけるメール受信処理のフローチャートを示す図である。
【図１８】本発明の他の実施の形態に係るカラオケシステムで用いられるリモコン端末におけるタッチパネル部・表示部のユーザインターフェイス画面例を示す図である。
【図１９】本発明の他の実施の形態に係るカラオケシステムで用いられるリモコン端末におけるタッチパネル部・表示部のユーザインターフェイス画面例を示す図である。
【図２０】本発明の他の実施の形態に係るカラオケシステムで用いられるリモコン端末におけるタッチパネル部・表示部のユーザインターフェイス画面例を示す図である。
【図２１】本発明の他の実施の形態に係るカラオケシステムの全体構成を示す図である。
【符号の説明】
【００９８】
５０は通信網、６０・・・ルータ、７０・・・無線ＬＡＮアクセスポイント、１００・・・ホストサーバ、１１０はメールサービス部、１１１・・・受信ボックス、１１２・・・送信ボックス、１１３・・・メール設定部、１２０・・・履歴情報設定部、１３０・・・登録曲設定部、１４０・・・リモコン端末情報データベース、２００、２００'、２００''、２００'''、２００''''・・・リモコン端末、２０１・・・バス、２０２・・・中央演算部、２０３・・・記憶部、２０４・・・タッチパネル部、２０５・・・表示部、２０６・・・第１通信部、２０７・・・第２通信部、２０８・・・生体認証部、３００、３００'、３００''、３００'''・・・コマンダ、３０１・・・バス、３０２・・・中央演算部、３０３・・・記憶部、３０４・・・第４通信部、３０５・・・第３通信部、３０６・・・入力部、３０７・・・表示制御部、３１０・・・音源部、３３０・・・ミキサ部、４００・・・アンプ、４０１・・・スピーカー、４０２・・・マイクロフォン、４５０・・・ディスプレイ
【図１】
2009288654.tif 000003
【図２】
2009288654.tif 000004
【図３】
2009288654.tif 000005
【図４】
2009288654.tif 000006
【図５】
2009288654.tif 000007
【図６】
2009288654.tif 000008
【図７】
2009288654.tif 000009
【図８】
2009288654.tif 000010
【図９】
2009288654.tif 000011
【図１０】
2009288654.tif 000012
【図１１】
2009288654.tif 000013
【図１２】
2009288654.tif 000014
【図１３】
2009288654.tif 000015
【図１４】
2009288654.tif 000016
【図１５】
2009288654.tif 000017
【図１６】
2009288654.tif 000018
【図１７】
2009288654.tif 000019
【図１８】
2009288654.tif 000020
【図１９】
2009288654.tif 000021
【図２０】
2009288654.tif 000022
【図２１】
2009288654.tif 000023